(57)【要約】【課題】手差しトレイに用紙が載置されたことにより省電力モードから通常モードへ復帰した場合、用紙の情報の入力をユーザに促す。【解決手段】通常モードと省電力モードとにおいて動作可能な画像形成装置１００であって、手差しトレイ２１０に載置された用紙を検知する手差し用紙センサ２１４と、用紙の情報を入力するための手差し用紙サイズ選択画面６００が表示される表示部３３４と、手差しトレイ２１０に用紙が載置されたことにより省電力モードから通常モードへ復帰した場合、手差し用紙サイズ選択画面を表示させ、それ以外の要因で通常モードへ復帰した場合、手差し用紙サイズ選択画面を表示させない制御ユニット３００と、を備える画像形成装置。【選択図】図４
2017043018.tif 000002
【特許請求の範囲】
【請求項１】
記録媒体に画像を形成することが可能な通常モードと、前記通常モードよりも消費電力が少ない省電力モードとにおいて動作可能な画像形成装置であって、
前記記録媒体が載置される記録媒体載置部と、
前記記録媒体載置部に載置された前記記録媒体を検知する記録媒体検知部と、
前記記録媒体の情報を入力するための記録媒体情報入力画面が表示される表示部と、
前記記録媒体検知部の検知信号に基づいて前記省電力モードにおいて前記記録媒体載置部に前記記録媒体が載置されていない状態から前記記録媒体が載置された状態へ変化したことを検知した場合、前記省電力モードから前記通常モードへ復帰したときに前記表示部に前記記録媒体情報入力画面を表示させ、
前記記録媒体検知部の前記検知信号に基づいて前記省電力モードにおいて前記記録媒体載置部に前記記録媒体が載置されていない状態から前記記録媒体が載置された状態へ変化したことを検知しない場合、前記省電力モードから前記通常モードへ復帰したときに前記表示部に前記記録媒体情報入力画面を表示させない制御ユニットと、
を備えることを特徴とする画像形成装置。
【請求項２】
前記制御ユニットは、前記省電力モードにおいて前記記録媒体載置部に前記記録媒体が載置されていない状態から前記記録媒体が載置された状態へ変化したことを検知したときに、前記画像形成装置を前記省電力モードから前記通常モードへ復帰させる制御部を有することを特徴とする請求項１に記載の画像形成装置。
【請求項３】
前記通常モードにおいて前記制御ユニットへ電力を供給する第一の電源と、
前記省電力モードにおいて前記記録媒体検知部および前記制御部へ電力を供給する第二の電源と、
を更に備えることを特徴とする請求項２に記載の画像形成装置。
【請求項４】
前記記録媒体情報入力画面から入力された前記記録媒体の前記情報を記憶する記憶部を更に備え、
前記制御ユニットは、前記記録媒体検知部の前記検知信号に基づいて前記通常モードにおいて前記記録媒体載置部に前記記録媒体が載置されていないことを検知した場合、前記記憶部に記憶された前記記録媒体の前記情報を削除し、前記省電力モードから前記通常モードへ復帰したときに前記表示部に前記記録媒体情報入力画面を表示させない場合、前記記憶部に記憶された前記記録媒体の前記情報を維持することを特徴とする請求項１乃至３のいずれか一項に記載の画像形成装置。
【発明の詳細な説明】
【技術分野】
【０００１】
本発明は、給送された記録媒体に画像を形成する画像形成装置に関する。
【背景技術】
【０００２】
従来、複写機、プリンタ等の画像形成装置は、用紙に連続的に複写や印刷を行うことが可能となるよう、装置本体に給紙トレイを有している。また、使用する用紙のサイズや種類はユーザが画像形成装置を使用する環境に大きく依存する。このような状況に対応するために、画像形成装置には複数の給紙トレイが設けられている。一方で、画像形成装置に複数の給紙トレイが設けられているとしても、各給紙トレイに載置された用紙とは異なる用紙に対して、一時的に複写や印刷を実行したいという要求が生じることもある。このような要求が生じることも想定して、画像形成装置には、給紙トレイとは別に、所望の用紙を容易に載置できるよう、手差しトレイも設けられている。
【０００３】
手差しトレイに載置された用紙を給送し、適切な位置に画像を形成するためには、用紙のサイズが判明していることが必要であり、ユーザが操作部に用紙のサイズを入力する必要があった。特許文献１では、用紙幅を検知する検知手段を有し、手差しトレイ上に用紙が載置されたことを検知したタイミングで、表示部に選択可能な用紙サイズを表示してユーザに選択させる構成が提案されている。このような従来技術では、ユーザにより選択されたサイズが制御部の揮発メモリ又は不揮発メモリに記憶されている。そして、手差しトレイ上の用紙の有無を検知する検知手段が手差しトレイ上に用紙が無いことを検知するまでは、複写や印刷毎の再設定を必要としない構成が実施されている。
【０００４】
更に、画像形成装置は、省電力の目的から一部の機能以外の機能を停止させる省電力（スリープ）モード機能を備えている。このような画像形成装置では、スリープモード中に動作する機能をネットワークインターフェース（以下、Ｉ／Ｆという。）等の一部の機能のみに制限することにより、消費電力を低減させることを可能としている。従来技術では、スリープモードに移行する直前の手差しトレイ上の用紙の有無と、スリープモードから復帰した直後の手差しトレイ上の用紙の有無を比較している。そして、スリープモード移行時と復帰時のいずれのタイミングにおいても手差しトレイ上に用紙が載置されていると判断した場合、不揮発メモリに記憶されている用紙サイズに従って画像形成処理を実施している。
【先行技術文献】
【特許文献】
【０００５】
【特許文献１】特開平６−１１５７１５号公報
【発明の概要】
【発明が解決しようとする課題】
【０００６】
しかし、従来の画像形成装置では、次のような課題があった。従来は、手差しトレイ上に用紙が載置された状態でスリープモードへ移行し、スリープモード中に載置された用紙が取り除かれ、異なるサイズの用紙が載置された後にスリープモードから復帰した場合、次のようなことになる。即ち、手差しトレイ上の用紙の有無を検知する検知手段による検知結果は、スリープモードの前後でいずれも紙有りであって変化が無い。このため、スリープモードから復帰した後の画像形成処理は、スリープモードへ移行する前に選択された用紙のサイズ情報に基づいて実施される。
【０００７】
例えば、Ａ３長（４２０ｍｍ）の用紙が手差しトレイに載置された状態でスリープモードへ移行し、スリープモード中にＡ３長の用紙が取り除かれ、代わりにＡ４長（２１０ｍｍ）の用紙が手差しトレイに載置されたとする。この場合、手差しトレイに載置されている実際の用紙のサイズはＡ４長であるにもかかわらず、Ａ４長の用紙が載置される前のＡ３長のサイズ情報に基づいて画像形成が実施される。このため、搬送されてきた用紙のサイズよりも形成されるトナー画像のサイズの方が大きくなってしまい、用紙に転写されない領域のトナーは、二次転写ローラ等の部材へ付着してしまう。そして、二次転写ローラへ付着したトナーは、その後の画像形成処理時に搬送されてきた用紙の裏面に付着してしまう裏汚れ等の画像不良の原因となる。また、逆に、スリープモード中にＡ４長の用紙からＡ３長の用紙へ変更された場合、記憶されている用紙のサイズ（Ａ４長）よりも搬送される用紙のサイズ（Ａ３長）が長いため、紙詰まりと判断されてしまうおそれがある。
【０００８】
一方、上記の課題を解決するために、スリープモードから復帰する毎に、ユーザに用紙のサイズの設定を促すこととすると、ユーザが煩わしさを感じるおそれがある。
【０００９】
そこで、本発明は、記録媒体載置部に記録媒体が載置されたことにより省電力モードから通常モードへ復帰した場合、記録媒体の情報の入力をユーザに促すことができる画像形成装置を提供する。
【課題を解決するための手段】
【００１０】
上記課題を解決するために、本発明による画像形成装置は、記録媒体に画像を形成することが可能な通常モードと、前記通常モードよりも消費電力が少ない省電力モードとにおいて動作可能であって、
前記記録媒体が載置される記録媒体載置部と、
前記記録媒体載置部に載置された前記記録媒体を検知する記録媒体検知部と、
前記記録媒体の情報を入力するための記録媒体情報入力画面が表示される表示部と、
前記記録媒体検知部の検知信号に基づいて前記省電力モードにおいて前記記録媒体載置部に前記記録媒体が載置されていない状態から前記記録媒体が載置された状態へ変化したことを検知した場合、前記省電力モードから前記通常モードへ復帰したときに前記表示部に前記記録媒体情報入力画面を表示させ、
前記記録媒体検知部の前記検知信号に基づいて前記省電力モードにおいて前記記録媒体載置部に前記記録媒体が載置されていない状態から前記記録媒体が載置された状態へ変化したことを検知しない場合、前記省電力モードから前記通常モードへ復帰したときに前記表示部に前記記録媒体情報入力画面を表示させない制御ユニットと、
を備えることを特徴とする。
【発明の効果】
【００１１】
本発明によれば、記録媒体載置部に記録媒体が載置されたことにより省電力モードから通常モードへ復帰した場合、記録媒体の情報の入力をユーザに促すことができる。
【図面の簡単な説明】
【００１２】
【図１】画像形成装置の断面図。
【図２】画像形成装置の制御システムのブロック図。
【図３】手差しトレイの上視図。
【図４】ＣＰＵにより実行される手差し用紙サイズ選択画面の表示制御動作を示す流れ図。
【図５】表示部に表示される手差し用紙サイズ選択画面を示す図。
【図６】ＣＰＵにより実行される手差し用紙サイズの選択制御動作を示す流れ図。
【図７】復帰要因監視部によりスリープモード中に実行される復帰要因判断動作を示す流れ図。
【図８】起動時にＣＰＵにより実行される手差し用紙サイズ設定の処理動作を示す流れ図。
【発明を実施するための形態】
【００１３】
以下、添付図面を参照して、本発明を実施するための形態を説明する。
【００１４】
（画像形成装置）
図１は、画像形成装置１００の断面図である。図２は、画像形成装置１００の制御システムのブロック図である。図１及び図２を用いて、画像形成装置１００の構造および画像形成動作を説明する。図２に示すように、制御ユニット３００は、ＣＰＵ（第一の制御部）３０１、ＲＯＭ３０２、ＲＡＭ３０３、ＥＥＰＲＯＭ（不揮発メモリ）３０４、復帰要因監視部（第二の制御部）３０５から構成される。ＣＰＵ３０１は、ユーザが各種の操作指示を入力する操作部としてのユーザインターフェース（以下、ＵＩという。）３３０と通信可能である。ＵＩ３３０から、例えば画像形成開始の指示（以下、ジョブという。）がＣＰＵ３０１へ入力されると、ＣＰＵ３０１は、画像形成動作を開始する。
【００１５】
ＣＰＵ３０１は、Ｉ／Ｏ３０７を介して、定着搬送モータ１４５、定着モータ１７３、定着搬送モータ１４６、手差し搬送モータ１４７、排出モータ１４８、及び排出モータ１４９を駆動制御する。また、ＣＰＵ３０１は、Ｉ／Ｏ３０７を介して、搬送センサ１７１、レジストレーションセンサ１６０、カセット用紙センサ１５２、排出センサ１９５及び排出センサ１９７からの信号を検知する。また、ＣＰＵ３０１は、Ｉ／Ｏ３０７を介して、定着モータセンサ１７４、手差しトレイ２１０上の記録媒体（以下、用紙という。）の有無を検知する手差し用紙センサ（記録媒体検知部）２１４およびスリープボタン３３５からの信号を検知する。
【００１６】
ＣＰＵ３０１は、ＵＩ３３０からのジョブの内容に対応した画像を処理する画像処理部３１６と通信が可能である。画像処理部３１６は、ＣＰＵ３０１と相互に通信を行って画像の展開、回転等の画像処理を実施する。ＣＰＵ３０１は、画像形成部３２０を制御する。画像形成部３２０は、図１に示すプロセスユニット１２０、中間転写ベルト１３０および二次転写部１４０への高電圧の供給および駆動を制御したり、レーザースキャナユニット（露光装置）１１０を制御したりする。また、画像形成部３２０は、図１に示す定着器１７０のヒータの温度を制御する。画像形成装置１００の上部に画像読取部１０１が設けられている。画像読取部１０１は、原稿の画像を読み取り、画像データを画像処理部３１６へ送信する。
【００１７】
操作部としてのＵＩ３３０は、ユーザが情報を入力する際に使用される入力キー群３３１、画像形成動作を開始する際に押されるスタートキー３３２を有している。また、ＵＩ３３０は、画像形成動作を中断する際に押されるストップキー３３３、表示手段としての表示部３３４及びスリープボタン３３５を有している。ユーザがスリープボタン（開閉器）３３５を押すと、画像形成装置１００は、消費電力を低減させた省電力状態であるスリープモードへ移行したり、スリープモードから通常モードへ復帰したりする。
【００１８】
通常モード（スタンバイ状態）において、画像形成装置１００は、ＵＩ３３０又は外部機器からジョブを受け付けたら即座に画像形成動作を開始できるように待機する画像形成可能な状態にある。スリープモード（省電力モード）において、ＣＰＵ３０１や画像形成部３２０へ電源が供給されておらず、画像形成装置１００は、ジョブを受け付けても即座に画像形成動作を開始できない状態にある。スリープモードにおいて、画像形成装置１００は、通常モードよりも消費電力が少ない。なお、画像形成装置１００のスリープモードについての詳細な説明は、後述する。画像形成装置１００の上述した構造は、一例であり、本発明の画像形成装置１００は、上述した構造に限定されるものではない。
【００１９】
次に、図１及び図２を用いて、画像形成装置１００における基本的な画像形成動作を説明する。ＵＩ３３０からのジョブを受け付けると、ＣＰＵ３０１は、受け付けたジョブに従って画像形成動作を開始する。ＣＰＵ３０１は、Ｉ／Ｏ３０７を介して、カセットピックアップローラ１５１の駆動源となる定着搬送モータ１４５を駆動させることで、カセットピックアップローラ１５１が回転駆動し、給紙カセット１５０内の用紙が１枚ずつ給送される。このとき、ＣＰＵ３０１は、用紙の給送動作が正常に行われたか否かを、カセット用紙センサ１５２を用いて監視する。
【００２０】
記録媒体載置部としての手差しトレイ（マルチ・パーパス・トレイ）２１０から画像形成装置１００の本体への用紙の給送を説明する。ＣＰＵ３０１は、手差しトレイ２１０に用紙が載置されている状態で、ＵＩ３３０から手差しトレイ２１０上の用紙を搬送するよう指示を受けると、次のように動作する。即ち、ＣＰＵ３０１は、Ｉ／Ｏ３０７を介して手差し搬送モータ１４７を駆動し、手差しピックアップローラ２１１を回転させる。手差しピックアップローラ２１１の回転が開始されることにより、手差しトレイ２１０上の用紙が一枚ずつ給送される。給紙カセット１５０からの給紙と同様に、ＣＰＵ３０１は、レジストレーションセンサ１６０を監視し、給送動作が正常に行われたか否かを判断する。また、手差し用紙センサ２１４は、手差しトレイ２１０上に用紙が載置されているか否かを検知する。
【００２１】
ＣＰＵ３０１は、二次転写部１４０に用紙が到着するタイミングに間に合うように、プロセスユニット１２０での画像形成動作を開始する。プロセスユニット１２０は、感光ドラム、現像器、帯電ローラ、感光ドラムクリーナー等により構成されている。プロセスユニット１２０では、感光ドラムの表面が帯電された後、レーザースキャナユニット１１０から照射されるレーザー光により、感光ドラム上に静電潜像が形成される。そして、感光ドラム上に形成された静電潜像は、現像器内のトナーにより感光ドラム上で現像され、トナー像となる。その後、感光ドラム上に形成されたトナー像は、一次転写部１２１において一次転写電圧を印加され、中間転写ベルト１３０へ転写される。中間転写ベルト１３０へ転写されたトナー像は、中間転写ベルト１３０の回転によって、二次転写部１４０へ搬送される。
【００２２】
また、ＣＰＵ３０１は、搬送ローラ１５３、搬送ローラ１５４、搬送ローラ１５５により搬送された用紙の位置を、レジストレーションセンサ１６０を監視することで検知する。そして、レジストレーションセンサ１６０に用紙の先端が到達したタイミングを考慮し、用紙の先端と、中間転写ベルト１３０上のトナー像の先端が、二次転写部１４０で一致するように、用紙の搬送を制御する。例えば、ＣＰＵ３０１は、トナー像に対応する用紙がレジストレーションセンサ１６０へ所定のタイミングよりも早く到着した場合、レジストローラ１６１で用紙を所定時間停止させた後に、再度用紙の搬送を再開させる。以上のようにして、ＣＰＵ３０１は、二次転写部１４０に到達した用紙とトナー像に対し、二次転写部１４０により二次転写電圧を印加し、それによって、トナー像が用紙へ転写される。
【００２３】
二次転写後の用紙は、搬送ベルト１９０、定着器１７０へ搬送される。定着器１７０では、用紙に転写された未定着のトナー像が用紙に加熱定着される。その後、用紙は、更に用紙の搬送方向における下流部へ搬送される。定着後の用紙の先端が、搬送センサ１７１に到達すると、ＣＰＵ３０１は、次のような動作を行う。即ち、ＣＰＵ３０１は、あらかじめＵＩ３３０から指定されているジョブの内容に従って、搬送路２３０、搬送路２３１又は搬送路２３４のいずれへ搬送ローラ１６２により用紙を搬送するのかを判断する。ＣＰＵ３０１は、フラッパ１７２及びフラッパ１８２を切り替えることで、用紙の搬送先を切り替える。
【００２４】
具体的には、ＵＩ３３０により指定されたジョブが両面印刷ジョブの場合と排出トレイ２００に対して印字面を下向きに排出する場合、ＣＰＵ３０１は、用紙を搬送路２３０へ搬送するために、フラッパ１７２を切り替える。片面印刷又は両面印刷において排出トレイ１９６又は排出トレイ１９９へ用紙を排紙する場合、ＣＰＵ３０１は、フラッパ１８２を切り替えて、用紙を搬送路２３１へ搬送する。ＵＩ３３０により指定されたジョブが排出トレイ２００へ用紙を排出する命令である場合、ＣＰＵ３０１は、フラッパ１７２とフラッパ１８２を切り替えて、用紙を搬送路２３４へ搬送する。
【００２５】
搬送路２３１へ搬送された用紙は、搬送ローラ２３２により、更に用紙の搬送方向の下流側（以下、単に下流側という。）へ搬送される。続いて、用紙は、搬送路１８１へ搬送され、排出トレイ１９６及び排出トレイ１９９へ向けて搬送される。搬送路１８１へ搬送された用紙は、排出モータ１４８によって駆動される排出ローラ２４１及び排出ローラ２４２によって搬送される。ＵＩ３３０により指定されたジョブが用紙を排出トレイ１９６へ排出する命令である場合、ＣＰＵ３０１は、フラッパ１８３を切り替えて、用紙を搬送路１９３へ搬送し、排出ローラ２４３により排出トレイ１９６へ用紙を排出する。ＵＩ３３０により指定されたジョブが用紙を排出トレイ１９９へ排出する命令である場合、ＣＰＵ３０１は、フラッパ１８３を切り替えて、用紙を搬送路１８４へ搬送する。続いて、ＣＰＵ３０１は、排出モータ１４９を駆動する。用紙は、排出モータ１４９によって駆動される排出ローラ２４４、排出ローラ２４５及び排出ローラ２４６によって、搬送路１９８へ搬送され、排出トレイ１９９へ排出される。
【００２６】
片面印刷において用紙を排出トレイ２００へ印字面を下向きにして排出する場合、ＣＰＵ３０１は、用紙を、一旦、搬送路２３０へ搬送する。用紙の後端が反転ローラ１６３を通過したタイミングで、ＣＰＵ３０１は、反転ローラ１６３及び両面搬送ローラ１６４、１６５、１６６、１７９、１６８を逆回転させ、用紙の搬送方向を逆転して用紙を排出ローラ１８０へ向けて搬送する。用紙は、排出ローラ１８０により搬送路２３４を搬送され、排出トレイ２００へ排出される。
【００２７】
両面印刷の場合、用紙は、搬送路２３０へ搬送される。用紙は、両面搬送ローラ１６４、１６５、１６６、１７９、１６８によって両面反転搬送路２３３へ搬送される。次に、用紙の後端が両面搬送ローラ１７９を通過したタイミングで、ＣＰＵ３０１は、両面搬送ローラ１７９、１６８を逆回転させ、フラッパ１７８を切替えて、用紙を両面搬送ローラ１６９へ向けて搬送する。用紙は、両面搬送ローラ１６９、１７５、１７６、１７７によって搬送され、搬送ローラ１５５へ受け渡される。ジョブが全て終了すると、ＣＰＵ３０１は、ＵＩ３３０の表示部３３４にジョブが終了したことを表示する。なお、上記の画像形成動作は、一例であり、本発明は、上記の画像形成動作に限定されるものではない。
【００２８】
（手差しトレイ）
図３は、手差しトレイ２１０の上視図である。画像形成装置１００の本体は、図３の左側に位置する。用紙の束は、手差しトレイ２１０上に載置される。手差しピックアップローラ２１１は、手差しトレイ２１０上の用紙の束から用紙を一枚ずつ分離し、画像形成装置１００の本体内へ給送する。手差し用紙センサ２１４は、手差しピックアップローラ２１１によって用紙を搬送可能な位置に載置された用紙を検知できるように、手差しトレイ２１０に設けられている。手差しピックアップローラ２１１によって用紙を搬送可能な位置に用紙が載置されると、手差し用紙センサ２１４は、検知信号をＣＰＵ３０１へ出力する。ＣＰＵ３０１は、手差し用紙センサ２１４の検知信号に基づいて、手差しトレイ２１０上に用紙が有るか否かを判断する。手差しサイド規制ガイド２１２、２１３は、手差しトレイ２１０上に載置された用紙の幅方向（用紙の搬送方向に直交する方向）における位置を規制する。手差しトレイ２１０上に載置された用紙は、手差しピックアップローラ２１１による給送時に斜行しないように、手差しサイド規制ガイド２１２、２１３によって狭侍される。手差しサイド規制ガイド２１２、２１３は、矢印２１５、２１６で示す方向にスライド可能に設けられている。手差しサイド規制ガイド２１２、２１３は、手差しトレイ２１０上に載置された用紙の幅方向の寸法（主走査長）に従って、スライド移動され、用紙の幅方向における位置を規制することができる。用紙の幅方向の寸法が異なる用紙が手差しトレイ２１０上に載置されたとしても、手差しサイド規制ガイド２１２、２１３は、用紙の斜行を防止することができる。
【００２９】
（手差しトレイに載置された用紙のサイズ設定）
次に、図４、図５及び図６を用いて、手差しトレイ２１０に載置された用紙のサイズ設定を説明する。図４は、ＣＰＵ３０１により実行される手差し用紙サイズ選択画面６００の表示制御動作を示す流れ図である。図５は、表示部３３４に表示される手差し用紙サイズ選択画面６００を示す図である。図６は、ＣＰＵ３０１により実行される手差し用紙サイズの選択制御動作を示す流れ図である。
【００３０】
まず、図４を用いて、ＣＰＵ３０１により実行される表示制御動作を説明する。ＣＰＵ３０１は、ＲＯＭ（記憶部）３０２に記憶されているプログラムに従って、表示制御動作を実行する。表示制御動作において、ＣＰＵ３０１は、手差し用紙サイズ選択画面６００をＵＩ３３０の表示部３３４に表示させるか否かを判断する。なお、図４に示す表示制御動作は、スリープモードからの復帰時も含めてＣＰＵ３０１が動作可能な状態において、繰り返し実行されている。
【００３１】
表示制御動作が開始されると、ＣＰＵ３０１は、手差し用紙センサ２１４の検知信号に基づいて、手差しトレイ２１０上に用紙が載置されているか否かを判断（Ｓ５０１）。手差しトレイ２１０上に用紙が載置されていると判断された場合（Ｓ５０１でＹＥＳ）、ＣＰＵ３０１は、手差し用紙サイズ設定が確定済みであるか否かを判断する（Ｓ５０２）。手差し用紙サイズ設定は、手差しトレイ２１０上に載置される用紙のサイズを設定することである。手差し用紙サイズ設定の確定については、図５及び図６を用いて後述する。手差し用紙サイズ設定が確定済みである場合（Ｓ５０２でＹＥＳ）、再度の手差し用紙サイズ設定は必要ないので、ＣＰＵ３０１は、手差し用紙サイズ選択画面６００を表示部３３４に表示しない（Ｓ５０３）。一方、手差し用紙サイズ設定が確定していない場合（Ｓ５０２でＮＯ）、手差しトレイ２１０上に載置された用紙のサイズ情報を得るために、ＣＰＵ３０１は、手差し用紙サイズ選択画面６００を表示部３３４に表示させる（Ｓ５０４）。Ｓ５０１において、手差しトレイ２１０上に用紙が載置されていないと判断された場合（Ｓ５０１でＮＯ）、ＣＰＵ３０１は、手差し用紙サイズ設定の初期化を行う。即ち、ＣＰＵ３０１は、手差し用紙サイズ設定を未確定状態にし（Ｓ５０５）、手差し用紙サイズを未設定にする（Ｓ５０６）。ＣＰＵ３０１は、手差し用紙サイズ設定の未確定状態および手差し用紙サイズの未設定をＥＥＰＲＯＭ３０４に記憶する。即ち、ＥＥＰＲＯＭ３０４に記憶されている用紙のサイズ（記憶媒体情報）を削除する。ＣＰＵ３０１は、手差し用紙サイズ選択画面６００を表示部３３４に表示しない（Ｓ５０７）。ＣＰＵ３０１は、表示制御動作を終了する。ＣＰＵ３０１は、上述した表示制御動作を繰り返し実行する。
【００３２】
次に、図５及び図６を用いて、手差し用紙サイズ設定の確定を説明する。手差し用紙サイズ設定の確定は、ユーザにより行われる。図４のＳ５０４において、手差しトレイ２１０に載置された用紙のサイズをユーザが設定できるように、記録媒体情報入力部としてのＵＩ３３０の表示部３３４に、手差し用紙サイズ選択画面６００が表示される。ユーザは、手差し用紙サイズ選択画面（記録媒体情報入力画面）６００を操作して、手差し用紙サイズ設定を確定する。
【００３３】
手差し用紙サイズ選択画面６００が表示されると、ＣＰＵ３０１は、図６に示す手差し用紙サイズの選択制御動作を開始する。ＣＰＵ３０１は、ＲＯＭ（記憶部）３０２に記憶されているプログラムに従って、選択制御動作を実行する。選択制御動作において、ＣＰＵ３０１は、図５（ａ）に示すように手差し用紙サイズ選択画面６００に用紙サイズ候補ボタン群６１１、６１２、６１３、６１４、６１５、６１６、６１７を表示する（Ｓ７０１）。ユーザがまだ用紙のサイズ（記録媒体情報）を選択していないこの段階において、サイズ確定ボタン６２０は、グレーアウトされている。グレーアウトされているサイズ確定ボタン６２０を押しても、確定の操作・選択は、実行されない。
【００３４】
ＣＰＵ３０１は、用紙サイズ候補ボタン群６１１、６１２、６１３、６１４、６１５、６１６、６１７の中から用紙サイズ候補ボタンがユーザにより選択されたか否かを判断する（Ｓ７０２）。用紙サイズ候補ボタンが選択されていない場合（Ｓ７０２でＮＯ）、ＣＰＵ３０１は、用紙サイズ候補ボタンが選択されるまで待機する。ユーザが用紙サイズ候補ボタン群６１１〜６１７のいずれかのボタンを押して用紙サイズを選択すると（Ｓ７０２でＹＥＳ）、ＣＰＵ３０１は、選択された用紙サイズ候補ボタン以外のボタンをグレーアウトで表示させる。例えば、Ａ４用紙サイズ候補ボタン６１１が選択された場合、ＣＰＵ３０１は、図５（ｂ）に示すようにＡ４用紙サイズ候補ボタン６１１以外のボタンをグレーアウトで表示させる。ＣＰＵ３０１は、サイズ確定ボタン６２０のグレーアウトを解除し、サイズ確定ボタン６２０の操作・選択が可能な有効状態にする（Ｓ７０３）。
【００３５】
ＣＰＵ３０１は、サイズ確定ボタン６２０がユーザによって押されたか否かを判断する（Ｓ７０４）。サイズ確定ボタン６２０が押されていない場合（Ｓ７０４でＮＯ）、ＣＰＵ３０１は、サイズ確定ボタン６２０が押されるまで待機する。サイズ確定ボタン６２０がユーザにより押された場合（Ｓ７０４でＹＥＳ）、ＣＰＵ３０１は、手差し用紙サイズ設定の確定の処理動作を行う。手差し用紙サイズ設定の確定の処理動作において、ＣＰＵ３０１は、手差し用紙サイズ設定を確定状態にし（Ｓ７０５）、手差し用紙サイズを選択された用紙サイズに設定する（Ｓ７０６）。ＣＰＵ３０１は、手差し用紙サイズ設定の確定状態および設定された用紙サイズ（記録媒体情報）をＥＥＰＲＯＭ（記録媒体情報記憶部）３０４に記憶する。ＣＰＵ３０１は、手差し用紙サイズの選択制御動作を終了する。
【００３６】
なお、図６に示す選択制御動作と同時に図４に示す表示制御動作も並行して実行されている。そのため、図６に示す選択制御動作が実行中であっても、図４に示す表示制御動作の判断結果によって手差し用紙サイズ選択画面６００が非表示になり、図６に示す選択制御動作が中断されることがある。
【００３７】
以上のようにして、手差しトレイ２１０に載置された用紙のサイズ設定が行われる。
なお、手差し用紙サイズの選択制御動作に付随して、手差し用紙の紙種情報（記録媒体情報）を設定するように構成しても良い。その場合、手差し用紙サイズ選択画面６００で用紙サイズが確定された後、手差し用紙種類選択画面（不図示）が表示部３３４に表示される。用紙サイズ候補ボタン群６１１〜６１７と同様に、表示された用紙種類候補ボタン群の中からユーザが用紙種類候補ボタンを選択することにより、用紙種類を確定するようにしてもよい。
【００３８】
（電源構成）
次に、図２を用いて、画像形成装置１００の電源構成を説明する。
主電源（第一の電源）４１０は、通常モードにおいて、給電ライン４１１を介して、制御ユニット３００へ電力を供給する。また、主電源４１０は、その他の給電ライン（不図示）により、画像形成装置１００及び画像読取部１０１へも給電を行っている。また、主電源４１０の給電は、ＣＰＵ３０１によって停止させることが可能である。さらに、主電源４１０の給電は、復帰要因監視部３０５によって停止及び再開させることが可能である。主電源４１０及び給電ライン４１１は、後述する復帰要因の検知に従って制御ユニット３００のＣＰＵ３０１への通電を開始する起動部として機能することができる。
【００３９】
副電源（第二の電源）４２０は、スリープモードにおいて、給電ライン４２１を介して、復帰要因監視部３０５へ電力を供給する。これにより、復帰要因監視部３０５は、主電源４１０から制御ユニット３００への給電が停止している時でも動作可能である。また、副電源４２０は、スリープモードにおいて、給電ライン４２２及び４２３を介して、手差し用紙センサ２１４及びスリープボタン３３５へ給電する。これにより、手差し用紙センサ２１４及びスリープボタン３３５は、主電源４１０からの給電が行われていない時でも動作可能である。
【００４０】
（スリープモード）
以下、画像形成装置１００のスリープモードを説明する。ＵＩ３３０には、スリープボタン３３５が設けられている。スリープボタン３３５は、画像形成装置１００をスリープモードへ移行させるために、又は、スリープモードから通常状態へ復帰させるためにユーザによって押される。ＣＰＵ３０１が通電状態のときにスリープボタン３３５が押されると、ＣＰＵ３０１は、主電源４１０からの給電を停止させる。主電源４１０からの給電が停止している間、副電源４２０から給電されていないＣＰＵ３０１等は、通電されておらず、動作することはできない。スリープモードにおいて、復帰要因監視部３０５、手差し用紙センサ２１４及びスリープボタン３３５は、副電源４２０から電力を供給されている。復帰要因監視部３０５は、手差し用紙センサ２１４及びスリープボタン３３５に直接接続されている。復帰要因監視部３０５は、スリープモードにおいても、手差し用紙センサ２１４の検知信号およびスリープボタン３３５が押されたか否かを監視することができる。
【００４１】
（スリープモードからの復帰要因判断）
次に、図７を用いて、スリープモードからの復帰要因判断を説明する。図７は、復帰要因監視部３０５によりスリープモード中に実行される復帰要因判断動作を示す流れ図である。本実施例におけるスリープモードからの復帰要因は、手差しトレイ２１０上に用紙が載置されたこと、或いはスリープボタン３３５が押されたことである。復帰要因判断は、手差しトレイ２１０上に用紙が載置されたことを示す手差し用紙センサ２１４からの検知信号或いはスリープボタン３３５が押されたことを示す信号に基づいて行われる。復帰要因監視部３０５は、ＲＯＭ（記憶部）に記憶されたプログラムに従って復帰要因判断動作を実行する。
【００４２】
復帰要因判断動作が開始されると、復帰要因監視部３０５は、復帰要因ビット群の値を０に初期化する（Ｓ８０１）。なお、復帰要因ビット群は、それぞれの復帰要因が割り当てられた複数の復帰要因ビットからなる。復帰要因ビット群の初期化において、復帰要因ビット群の複数の復帰要因ビットの全ての値が０にされる。本実施例において、第０ビットの値は、手差しトレイ２１０上に用紙が載置されたか否かを示す手差し用紙センサ２１４の検知信号に基づいて設定される。第１ビットの値は、スリープボタン３３５が押されたか否かを示す信号に基づいて設定される。
【００４３】
復帰要因ビット群の初期化の後、復帰要因監視部３０５は、複数の復帰要因を順に判断する。復帰要因監視部３０５は、複数の復帰要因を検知する復帰要因検知部として機能する。復帰要因監視部３０５は、手差し用紙センサ２１４の検知信号に基づいて手差しトレイ２１０上に用紙が載置されていない状態（紙無し状態）から手差しトレイ２１０上に用紙が載置された状態（紙有り状態）へ変化したか否かを判断する（Ｓ８０２）。手差し用紙センサ２１４の検知信号が紙無し状態から紙有り状態へ変化した場合（Ｓ８０２でＹＥＳ）、復帰要因監視部３０５は、復帰要因ビット群の第０ビットの値を１にする（Ｓ８０３）。帰要因監視部３０５は、復帰要因ビット群の値を帰要因監視部３０５の内部記憶部（復帰要因記憶部）（不図示）に保存する。手差し用紙センサ２１４の検知信号が紙無し状態から紙有り状態へ変化していない場合（Ｓ８０２でＮＯ）、第０ビットの値を０に維持したまま、処理は、Ｓ８０４へ進む。復帰要因監視部３０５は、スリープボタン３３５が押されたか否かを判断する（Ｓ８０４）。スリープボタン３３５が押された場合（Ｓ８０４でＹＥＳ）、復帰要因監視部３０５は、復帰要因ビット群の第１ビットの値を１にする（Ｓ８０５）。帰要因監視部３０５は、復帰要因ビット群の値を帰要因監視部３０５の内部記憶部に保存する。スリープボタン３３５が押されていない場合（Ｓ８０４でＮＯ）、第１ビットの値を０に維持したまま、プロセスは、Ｓ８０５へ進む。
【００４４】
以上のようにして各復帰要因の判断を行った後、復帰要因監視部３０５は、復帰要因ビット群の値が０であるか否かを判断する（Ｓ８０６）。復帰要因ビット群の値が０である場合（Ｓ８０６でＹＥＳ）、即ち、復帰要因ビット群のいずれの復帰要因ビットの値も１でない場合、スリープモードから復帰させる要因が無いので、スリープモードが維持される。プロセスは、Ｓ８０１へ戻り、復帰要因監視部３０５は、復帰要因判断動作を繰り返す。一方、復帰要因ビット群の値が０でない場合（Ｓ８０６でＮＯ）、即ち、復帰要因ビット群のいずれかの復帰要因ビットの値が１である場合、復帰要因監視部３０５は、主電源４１０から制御ユニット３００への給電を再開させる（Ｓ８０７）。復帰要因監視部３０５は、復帰要因判断動作を終了する。
【００４５】
（スリープモードからの復帰時の手差し用紙サイズ設定の処理）
次に、図８を用いて、画像形成装置１００がスリープモードから復帰した時の復帰要因ビット群の値に基づく手差し用紙サイズ設定の処理を説明する。図８は、起動時にＣＰＵ３０１により実行される手差し用紙サイズ設定の処理動作を示す流れ図である。ＣＰＵ３０１は、ＲＯＭ（記憶部）３０２に記憶されているプログラムに従って、手差し用紙サイズ設定の処理動作を実行する。画像形成装置１００がスリープモードから復帰する場合、主電源４１０からの給電が開始され、ＣＰＵ３０１が起動される。図８に示す手差し用紙サイズ設定の処理動作は、ＣＰＵ３０１の起動時に実行される。
【００４６】
手差し用紙サイズ設定の処理動作が開始されると、ＣＰＵ３０１は、復帰要因ビット群の値を復帰要因監視部３０５から読み出す（Ｓ９０１）。ＣＰＵ３０１は、復帰要因ビット群の第０ビットの値が１であるか否かを判断する（Ｓ９０２）。即ち、ＣＰＵ３０１は、復帰要因に、手差し用紙センサ２１４の検知信号が紙無し状態から紙有り状態へ変化したことが含まれているか否かを判断する。復帰要因に、紙無し状態から紙有り状態へ変化したことが含まれている場合、スリープモード中に手差しトレイ２１０上に用紙が新たに載置されたか、スリープモード前に載置されていた用紙が別の用紙へ変えられたと考えられる。そこで、復帰要因ビット群の第０ビットの値が１である場合（Ｓ９０２でＹＥＳ）、ＣＰＵ３０１は、手差し用紙サイズ設定を未確定状態にする（Ｓ９０３）。ＣＰＵ３０１は、手差し用紙サイズ設定の未確定状態をＥＥＰＲＯＭ（記憶部）３０４に記憶する。復帰要因ビット群の第０ビットの値が１でない場合（Ｓ９０２でＮＯ）、ＣＰＵ３０１は、手差し用紙サイズ設定の処理動作を終了する。
【００４７】
このように、ＣＰＵ３０１の起動に、スリープモード中の手差し用紙センサ２１４の検知信号の変化に応じて手差し用紙サイズ設定が未確定状態になると、処理は、図４のＳ５０２からＳ５０４へ進み、手差し用紙サイズ選択画面６００が表示される。一方、ＣＰＵ３０１の起動時に、手差し用紙サイズ設定が確定状態であると（Ｓ５０２でＹＥＳ）、スリープモードに移行する前の手差し用紙サイズ設定が維持され、手差し用紙サイズ選択画面６００は表示されない（Ｓ５０３）。
【００４８】
本実施例によれば、スリープモード中に手差しトレイ２１０上の用紙が変更された場合、ユーザに手差しトレイ２１０上の用紙サイズ（用紙情報）の再設定を適切に促すことができる。よって、形成される画像のサイズと手差しトレイ２１０上の用紙サイズの不一致による画像不良または紙詰まりを防止することができる。一方、スリープモード中に手差しトレイ２１０上の用紙が変更されていない場合、ユーザに手差しトレイ２１０上の用紙サイズ（用紙情報）の再設定を促すことがない。よって、ユーザに手差しトレイ２１０上の用紙サイズ（用紙情報）の再設定を要求するという煩わしさを解消することができる。このように、本実施例によれば、手差し用紙情報の不一致による画像不良または紙詰まりの防止と良好なユーザビリティを両立することができる。
【００４９】
本実施例によれば、スリープモードからの復帰要因が手差し用紙の載置である場合、手差しトレイ２１０上の用紙情報の設定を促し、復帰要因が手差し用紙の載置以外の要因である場合、スリープモード前の用紙情報の設定を保持することができる。これによって、確実に手差し用紙の情報設定を行うことができる。
【００５０】
本実施例によれば、記録媒体載置部に記録媒体が載置されたことにより省電力モードドから通常モードへ復帰した場合、記録媒体の情報の入力をユーザに促すことができる。
【符号の説明】
【００５１】
１００・・・画像形成装置
２１０・・・手差しトレイ（記録媒体載置部）
２１４・・・手差し用紙センサ（記録媒体検知部）
３００・・・制御ユニット
３３４・・・表示部
６００・・・手差し用紙サイズ選択画面（記録媒体情報入力画面）
【図１】
2017043018.tif 000003
【図２】
2017043018.tif 000004
【図３】
2017043018.tif 000005
【図４】
2017043018.tif 000006
【図５】
2017043018.tif 000007
【図６】
2017043018.tif 000008
【図７】
2017043018.tif 000009
【図８】
2017043018.tif 000010